(57)【要約】【課題】光源１３を容易に交換し得るようにしたバックライト装置を提供すること。【解決手段】光源ユニット１０を導光板ユニット２０に対し摺動することにより着脱可能に形成した。【選択図】　　　図１
2004031155.tif 000002
【特許請求の範囲】
【請求項１】
液晶表示素子に対向するように配設されケーシングの内部に導光板が収納されている導光板ユニットと、この導光板ユニットの側方に接続され、ケーシングの内部に通電により前記導光板に向けて発光する光源が収納されている光源ユニットとを有するバックライト装置において、前記光源ユニットを前記導光板ユニットに対し摺動することにより着脱可能に形成したことを特徴とするバックライト装置。
【請求項２】
前記導光板ユニットのケーシングおよび前記光源ユニットの一方のケーシングに、このケーシングの縦方向に間隔を隔てて平行に延在する２本の凹凸部を形成するとともに、他方のケーシングに前記各凹凸部に沿って摺動し得る２本の凸部を形成したことを特徴とする請求項１に記載のバックライト装置。
【発明の詳細な説明】
【０００１】
【発明の属する技術分野】
本発明は、液晶表示装置に使用される側面発光形のバックライト装置に係り、特に、光源ユニットを容易に着脱できるようにしたバックライト装置に関する。
【０００２】
【従来の技術】
まず、この種のバックライト装置が使用されている一般的な液晶表示装置の概略を図６に示す模式的断面図により説明する。
【０００３】
図６の液晶表示装置において、液晶表示素子１と対向する電源側配線基板４の上面５Ａにほぼ長方形状とされたアクリルなどの材料からなる導光板２２が接着あるいはかしめなどにより搭載されており、この導光板２２の可撓配線基板２が対向する端面７Ａと反対側の端面７Ｂの側方には、蛍光ランプなどからなるバックライト装置の光源１３が前記電源側配線基板４に支持部材（図示せず）を介して支持されている。前記可撓配線基板２の電気回路（図示せず）には、前記液晶表示素子１の制御を行なうＬＳＩ３が搭載されている。また、前記光源１３の背部には、光源１３からの光の拡散を防止して、導光板２２の端面７Ｂの方向に収束するためのほぼ円筒形状の反射部材１４が前記電源側配線基板４に支持されるようにして配設されている。したがって、前記光源１３からの光は導光板２２内を前記可撓配線基板２の方向に進むようになっている。
【０００４】
また、従来の液晶表示装置における側面発光形のバックライト装置においては、光源を固定する構造として液晶表示装置内に光源を組み込んだり、あるいは図７に示すように、導光板２２をケーシング２１に収納した導光板ユニット２０に、光源１３をケーシング１１に収納した光源ユニット１０をねじ８により固定するなどの構造としていた。
【０００５】
【発明が解決しようとする課題】
しかし、前述したような光源の固定構造では、光源を交換する場合に光源の取り外しが困難で、液晶表示装置自体を破棄しなければならなかったり、あるいは液晶表示装置をメーカーへ送品し、液晶表示装置の光源を交換しなければならなかった。
【０００６】
本発明は、このような従来のものにおける問題点を克服し、光源を容易に交換し得るようにしたバックライト装置を提供することを目的としている。
【０００７】
【課題を解決するための手段】
前述した目的を達成するため請求項１に係る本発明のバックライト装置の特徴は、光源ユニットを導光板ユニットに対し摺動することにより着脱可能に形成したことを特徴とする点にある。
【０００８】
そして、このような構成を採用したことにより、光源ユニットを導光板ユニットに対して摺動して取外せるので、光源の交換を簡単に行なうことができる。
【０００９】
また、請求項２に係る本発明のバックライト装置の特徴は、導光板ユニットのケーシングおよび光源ユニットの一方のケーシングに、このケーシングの縦方向に間隔を隔てて平行に延在する２本の凹凸部を形成するとともに、他方のケーシングに前記各凹凸部に沿って摺動し得る２本の凸部を形成した点にある。そして、このような構成を採用したことにより、２本の凹部に沿って各凸部を摺動することで、光源ユニットを導光板ユニットに対して簡単に着脱することができる。
【００１０】
【発明の実施の形態】
図１ないし図４は本発明に係る側面発光形のバックライト装置の実施形態を示すものである。
【００１１】
図１ないし図４において、本発明に係るバックライト装置は、光源ユニット１０と導光板ユニット２０とにより構成されている。
【００１２】
前記光源ユニット１０は、ほぼ直方体形状をなすケーシング１１を有しており、このケーシング１１には、導光板ユニットと接続する側の面に開口１２が形成されている。また、このケーシング１１内には、この開口１２に対向するように直線上に並べて配置されたＬＥＤや直管形状のＣＦＬなどの光源１３が支持されている。また、この光源１３の背部には、この光源１３からの光の拡散を防止して前記開口１２を介して後述する導光板２２の方向に収束するためのほぼ円筒形状の反射部材１４が前記ケーシング１１に支持されるようにして配設されている。この反射部材１４は、光源側の面が白色の樹脂やアルミニウムのような材料により形成されている。
【００１３】
前記光源１３の両端部には電気コード１５が接続されており、この電気コード１５は、前記ケーシング１１内を通過して外部に導出され、両電気コード１５の端部には、液晶表示装置のプラグ（図示せず）に接続されるコネクタ１６が接続されている。
【００１４】
前記導光板ユニット２０は、ほぼ直方体形状をなし前記光源ユニット１０のケーシング１１の長手方向寸法（横方向寸法）と同様の横方向寸法を有するケーシング２１を有しており、このケーシング２１には、前記光源ユニット１０の前記開口１２に対向するように形成された側部開口２３と、上面の広範囲に形成された上部開口２４とが形成されている。そして、このケーシング２１内には、直方体形状をなす導光板２２が収納されている。
【００１５】
なお、図２に示す前記側部開口２３の縦方向寸法ａと光源１３の管径ｂとの比は、例えば１：０．６〜０．８とされている。
【００１６】
そして、この導光板ユニット２０のケーシング２１における前記側部開口２３側の上面および下面には、ケーシング２１の上下方向に間隔を隔てて前記側部開口２３の長手方向に平行に延在する２本の凹部２５Ａ、２５Ｂがケーシング２１の一端から他端にかけて形成されている。前記各凹部２５Ａ，２５Ｂは縦断面長方形状とされている。
【００１７】
一方、前記光源ユニット１０の前記ケーシング１１の開口１２側には、前記導光板ユニット２０の前記凹部２５Ａに沿って摺動可能に嵌合し得る下向き凸部１７Ａと、前記導光板ユニット２０の前記凹部２５Ｂに沿って摺動可能に嵌合し得る上向き凸部１７Ｂとが上下方向に間隔を隔ててケーシング１１の開口１２の一端から他端にかけて平行に突設されている。前記各凸部１７Ａ，１７Ｂは、前記各凹部２５Ａ，２５Ｂと比較的密に嵌合し得るように縦断面長方形状とされている。
【００１８】
図１に示すように、前記光源ユニット１０の前記ケーシング１１の縦方向寸法と前記導光板ユニット２０のケーシング２１の縦方向寸法とはほぼ等しい寸法に形成されている。
【００１９】
つぎに、前述した構成からなる本発明の実施形態の作用について説明する。
【００２０】
本実施形態のバックライト装置の使用状態においては、光源ユニット１０の各凸部１７Ａ，１７Ｂを導光板ユニット２０の各凹部２５Ａ，２５Ｂに側方から嵌合させて相対的に摺動させることにより光源ユニット１０の開口１２を導光板ユニット２１の側部開口２３に対向させる。そして、コネクタ１６を液晶表示装置の図示しないプラグに接続することにより、バックライト装置が使用可能状態となる。
【００２１】
なお、本実施形態のバックライト装置においては、前記光源ユニット１０を導光板ユニット２０に接続したとき光源ユニット１０のケーシング１１と前記導光板ユニット２０のケーシング２１とは、その上面、両側面、底面ともほぼ面一となっている。
【００２２】
このような状態において、本実施形態のバックライト装置の使用を継続して光源１３に寿命がきたときには、コネクタ１６を液晶表示装置の図示しないプラグから外し、光源ユニット１０を導光板ユニット２０に対して側方に移動させる。すると、光源ユニット１０の各凸部１７Ａ，１７Ｂが導光板ユニット２０の各凹部２５Ａ，２５Ｂに対して摺動するようにして、光源ユニット１０を導光板ユニット２０から取り外すことができる。そこで、光源ユニット１０の全体、あるいは光源ユニット１０の光源１３を交換して、再度、光源ユニット１０を摺動させて導光板ユニット２０に接続すれば、簡単にバックライト装置を再使用することができる。
【００２３】
以上説明したように、本実施形態のバックライト装置によれば、光源ユニット１０の各凸部１７Ａ，１７Ｂを導光板ユニット２０の各凹部２５Ａ，２５Ｂに側方から嵌合させて摺動させることにより光源ユニット１０を導光板ユニット２０に容易に接続することができる。また、光源ユニット１０の各凸部１７Ａ，１７Ｂを導光板ユニット２０の各凹部２５Ａ，２５Ｂから逆方向に摺動させることにより光源ユニット１０を導光板ユニット２０から容易に取り外すことができる。
【００２４】
図４は、本発明に係るバックライト装置の第２実施形態を示す一例であり、本実施形態においては、光源ユニット１０のケーシング１１の縦方向寸法が導光板ユニット２０のケーシング２１の縦方向寸法より大きく形成されている。
【００２５】
このような実施形態によれば、導光板ユニット２０の側部開口２３の縦方向寸法ａを前述した図１の実施形態のものより大きくすることができる。
【００２６】
図５は、本発明に係るバックライト装置の第３実施形態を示す一例であり、本実施形態においては、導光板ユニット２０の各凹部２５Ａ，２５Ｂが、ケーシング２１の一端から他端の直前まで形成されており、光源ユニット１０の各凸部１７Ａ，１７Ｂも同様に短く形成されている。
【００２７】
このような構成によれば、光源ユニット１０の各凸部１７Ａ，１７Ｂが導光板ユニット２０の各凹部２５Ａ，２５Ｂの端部に形成されている直立面２６に当接することにより光源ユニット１０の摺動を所定の組立位置において停止させることができる。
【００２８】
なお、本発明は、前述した実施形態に限定されるものではなく、必要に応じて種々の変更が可能である。例えば、光源ユニットのケーシングの内面に白色の塗料を塗布するようにして反射部材を省略することも可能である。また、光源ユニットの光源として、２本のＣＦＬを並設してある場合も適用可能である。
【００２９】
【発明の効果】
以上説明したように本発明によれば、液晶表示装置の光源の寿命がきた時、光源ユニットをスライドさせ取り外し及び取付けを行なうことが出来、光源及び光源ユニットのみの交換を容易に行なうことができる。
【図面の簡単な説明】
【図１】本発明に係るバックライト装置の第１実施形態を示す分解斜視図
【図２】図１の縦断面図
【図３】図１の横断面図
【図４】本発明に係るバックライト装置の第２実施形態を示す分解斜視図
【図５】本発明に係るバックライト装置の第３実施形態を示す分解斜視図
【図６】一般的な液晶表示装置の概略を示す模式的縦断面図
【図７】従来の側面発光形のバックライト装置を示す斜視図
【符号の説明】
１　液晶表示素子
２　可撓配線基板
３　ＬＳＩ
４　電源側配線基板
５Ａ　電源側配線基板上面
７Ａ，７Ｂ　端面
８　ねじ
１０　光源ユニット
１１　（光源ユニットの）ケーシング
１２　側方開口（光源ユニットのケーシング）
１３　光源
１４　反射部材
１５　電気コード
１６　コネクタ
１７Ａ，１７Ｂ　凸部
２０　導光板ユニット
２１　（導光板ユニットの）ケーシング
２２　導光板
２３　側部開口（導光板ユニットのケーシング）
２４　上部開口（導光板ユニットのケーシング）
２５Ａ，２５Ｂ　凹部
２６　直立面
【図１】
2004031155.tif 000003
【図２】
2004031155.tif 000004
【図３】
2004031155.tif 000005
【図４】
2004031155.tif 000006
【図５】
2004031155.tif 000007
【図６】
2004031155.tif 000008
【図７】
2004031155.tif 000009